(57)【要約】【課題】輝度むらを精度よく解消することができる電子機器及び補正方法を提供する。【解決手段】電子機器１は、光源１１０と、光源１１０からの光を用いて表示を行う表示画面を有する表示部１２０と、表示画面の光源１１０側の一辺に沿って、光源１１０を往復運動させる駆動部１６０と、対象画像を表示部１２０に表示する際に、駆動部１６０を制御して光源１１０を往復運動させる制御部１０４とを備える。【選択図】図２
2013164897.tif 000002
【特許請求の範囲】
【請求項１】
光源と、
前記光源からの光を用いて所定画像を表示する表示画面を有する表示部と、
前記表示画面の前記光源側の一辺に沿って、前記光源を往復運動させる駆動部と、
を備えることを特徴とする電子機器。
【請求項２】
前記表示画面に表示される前記所定画像のフレームレートに応じて、前記駆動部による往復運動の周波数を制御する第１の制御部
を備えることを特徴とする請求項１に記載の電子機器。
【請求項３】
前記往復運動における折り返し位置に近いほど光量が小さくなるよう、前記往復運動中の前記光源の光量を制御する第２の制御部
を備えることを特徴とする請求項１又は請求項２に記載の電子機器。
【請求項４】
光源と、前記光源からの光を用いて所定画像を表示する表示画面を有する表示部とを備える電子機器における、前記表示画面に生じる輝度むらの補正方法であって、
前記表示画面の前記光源側の一辺に沿って、前記光源を往復運動させるステップ
を有することを特徴とする補正方法。
【発明の詳細な説明】
【技術分野】
【０００１】
本発明は、電子機器及び補正方法に関するものである。
【背景技術】
【０００２】
携帯端末などの電子機器には、各種情報を表示するための液晶パネルを備えた液晶表示装置がある。液晶パネルの表示領域は、光源（バックライト）により、裏面側から照明されている。
【０００３】
また、携帯端末などの電子機器は、携帯性及びデザイン性等の観点から、機器自体が小型でありながら広い表示領域を備えることが求められている。そのため、携帯端末などの多くの電子機器は、表示領域の額縁部分が狭くなるよう設計されている。
【０００４】
ここで、表示領域の額縁部分が狭い電子機器では、その額縁部分に配置される光源の発光面と、液晶パネルの光源側の端部とを、充分に離して配置することができない。このため、液晶パネルの表示領域の上記端部側には、光源の発光面による輝度むらが生じてしまう。この輝度むらを解消するため、例えば特許文献１に開示された表示装置の表示領域には、輝度むらの明暗を反転させるための減光フィルムが貼られている。
【先行技術文献】
【特許文献】
【０００５】
【特許文献１】特開２００１−３１１９４５号公報
【発明の概要】
【発明が解決しようとする課題】
【０００６】
しかしながら、減光フィルムを用いても、輝度むらを精度よく解消することは困難であった。
【０００７】
本発明は、前記の点に鑑みてなされたものであり、輝度むらを精度よく解消することができる電子機器及び補正方法を提供することを目的とする。
【課題を解決するための手段】
【０００８】
本発明の第１の態様は、上記の課題を解決するためになされたものであり、光源と、前記光源からの光を用いて所定画像を表示する表示画面を有する表示部と、前記表示画面の前記光源側の一辺に沿って、前記光源を往復運動させる駆動部と、を備えることを特徴とする電子機器である。
【０００９】
また、本発明の第２の態様は、光源と、前記光源からの光を用いて所定画像を表示する表示画面を有する表示部とを備える電子機器における、前記表示画面に生じる輝度むらの補正方法であって、前記表示画面の前記光源側の一辺に沿って、前記光源を往復運動させるステップを有することを特徴とする補正方法である。
【発明の効果】
【００１０】
本発明の態様によれば、電子機器は、輝度むらを精度よく解消することができる。
【図面の簡単な説明】
【００１１】
【図１】本発明の第１実施形態における、電子機器の外観図である。
【図２】本発明の第１実施形態における、電子機器の構成例を示すブロック図である。
【図３】本発明の第１実施形態における、光源及び導光板を説明するための説明図である。
【図４】本発明の第１実施形態における、導光板を説明するための説明図である。
【図５】本発明の第１実施形態における、表示部を説明するための説明図である。
【図６】発光体を往復運動させない場合の表示例である。
【図７】本発明の第１実施形態における、表示制御による表示例である。
【図８】本発明の第１実施形態における、電子機器の動作の一例を示すフローチャートである。
【図９】本発明の第２実施形態における、電子機器の構成例を示すブロック図である。
【図１０】本発明の第２実施形態における、光源を説明するための説明図である。
【発明を実施するための形態】
【００１２】
［第１実施形態］
以下、図面を参照しながら本発明の第１実施形態について説明する。図１は、電子機器１の外観図である。電子機器１は、図１に示すように、筐体１０の前面に、液晶パネル（表示画面）１２４を備える。
【００１３】
図２は、電子機器１の構成例を示すブロック図である。電子機器１は、図２に示すように、処理部１００、光源１１０、表示部１２０、操作部１３０、撮像部１４０、通信部１５０、駆動部１６０及び記憶部１９０を備える。処理部１００は、画像生成部１０２及び制御部１０４を有する。表示部１２０は、導光板１２２及び液晶パネル１２４を有する。
【００１４】
光源１１０は、液晶パネル１２４を表示させるための光源であって、液晶パネル１２４に予め定められた一辺（以下、「第１の辺」という）に沿って配置される一つ又は複数の発光体から構成される。以下、第１の辺は、液晶パネル１２４の光源１１０側の一辺であるとして説明を続ける。
液晶パネル１２４は、タッチパネルを備えた液晶ディスプレイであって、光源１１０からの光を用いて表示を行う表示画面である。
駆動部１６０は、リニアモーターやピエゾ素子等から構成され、液晶パネル１２４の第１の辺に沿って、光源１１０を往復運動（振動）させる。
【００１５】
記憶部１９０は、種々のコンテンツ（例えば、画像、ソフトウェアプログラム）を記憶する。
操作部１３０は、ユーザ指示（例えば、撮像指示、通信指示、表示指示、プログラムの実行指示）を受け付ける。操作部１３０の具体例は、電子機器１の筐体１０に配置されたボタン又はキー、液晶パネル１２４に表示されるボタン又はキーである。操作部１３０によって受け付けられた各種指示は、制御部１０４に出力される。
【００１６】
制御部１０４は、電子機器１全体を制御する。例えば、制御部（第１の制御部）１０４は、表示制御として、液晶パネル１２４に表示する画像（表示しようとする画像。以下、「対象画像」という）を表示部１２０に出力するとともに、対象画像のフレームレートに応じた周波数で光源１１０を往復運動させるよう駆動部１６０を制御する。なお、表示制御の詳細は後述する。また、制御部１０４は、撮像制御として、例えば撮像指示に応じて、撮像部１４０を制御する。また、制御部１０４は、通信制御として、例えば通信指示に応じて、通信部１５０を制御する。また、制御部１０４は、プログラムの実行制御として、記憶部１９０に記憶されているソフトウェアプログラムを読み出して実行する。
【００１７】
撮像部１４０は、レンズ、撮影素子、及び、ＡＤ変換部を備え、制御部１０４の制御に従って撮像する。撮影素子は、受光面に結像した光学像を電気信号に変換して、ＡＤ変換部に出力する。ＡＤ変換部は、撮影素子から出力された電気信号をデジタル信号に変換して、画像生成部１０２に出力する。
【００１８】
画像生成部１０２は、撮像部１４０から出力されたデジタル信号から撮像画像（スルー画像を含む）を生成する。画像生成部１０２は、撮像画像（スルー画像を除く）を記憶部１９０に記憶する。また、画像生成部１０２は、撮像画像（スルー画像）を制御部１０４に出力する。
【００１９】
通信部１５０は、制御部１０４の制御（通信制御）に従って外部機器（例えば、サーバ）と通信する。例えば、通信部１５０は、外部機器からコンテンツを受信し、制御部１０４に出力する。また、通信部１５０は、記憶部１９０に記憶されているコンテンツを制御部１０４から取得し、外部装置に送信する。
【００２０】
図３は、光源１１０及び導光板１２２を説明する説明図（光源１１０及び導光板１２２の斜視図）である。図４は、導光板１２２を説明する説明図（光源１１０及び導光板１２２の側面図）である。図３、４に示すように、導光板１２２は、可視光域の光を十分透過する材質（例えば、アクリル樹脂、ポリカーボネート、各種ガラス）により形成された板状体である。導光板１２２の厚さは、例えば、３０［μｍ］〜５００［μｍ］である。
【００２１】
導光板１２２の表面側（図３、４の上面側）は、面状の光を出射する出射面１２２ａであり、平滑面に形成される。出射面１２２ａは、光を拡散するために表面処理されてもよく、また、出射面１２２ａ全体には、拡散シート及び微少プリズムが形成された光学シート（不図示）が貼付されてもよい。表面処理又は光学シートの貼付は、出射面１２２ａから出射する光の向きや拡がりを調整する目的だけでなく、導光板１２２を出射面１２２ａ側から見たときに、裏面１２２ｂの形状（後述）を見えなくする目的で用いられる。
【００２２】
導光板１２２の裏面１２２ｂは、図３、４に示すように、複数の反射面を持つ鋸状の構造部が形成される。鋸状の構造部は、導光板１２２の入射面１２２ｃ（側面）から導入された光を出射面１２２ａ側に導くものである。但し、導光板１２２の裏面１２２ｂの構造は、図示した構成に限定されない。例えば、鋸状の構造に代えて、凸状や凹状のドットを裏面１２２ｂに形成してもよい。
【００２３】
導光板１２２の入射面１２２ｃ側には光源１１０として複数の発光体（ＬＥＤ）１１１〜１１４が、液晶パネル１２４の第１の辺に沿った一方向にほぼ等間隔で配置される。発光体１１１〜１１４の発光面と入射面１２２ｃとは対向配置される。なお、導光板１２２は、入射面１２２ｃが液晶パネル１２４の第１の辺と平行となるよう配置される。各発光体１１１〜１１４は、駆動部１６０により、液晶パネル１２４の第１の辺に沿った所定範囲を往復運動する。例えば、発光体１１１は、範囲Ａ１間を往復運動する。また、発光体１１２は、範囲Ａ２間を往復運動する。また、発光体１１３は、範囲Ａ３間を往復運動する。また、発光体１１４は、範囲Ａ４間を往復運動する。範囲Ａ１〜Ａ４は、液晶パネル１２４の第１の辺に沿った領域である。また、発光体１１１〜１１４は、連動して往復運動する。すなわち、発光体１１１〜１１４は、同時に同方向へ同じ速度で移動する。なお、本実施形態では、発光体１１１〜１１４が連動して往復運動するが、例えば、各発光体１１１〜１１４が個別に往復運動してもよい。或いは、発光体１１１〜１１４を２個ずつ（例えば、発光体１１１と発光体１１２、発光体１１３と発光体１１４等）の組に分け、組毎に連動させて往復運動させてもよい。
【００２４】
ここで、発光体１１１〜１１４の停止中は、出射面１２２ａのうち入射面１２２ｃに近い部分に、発光体１１１〜１１４から出射される光によって、光量過多領域Ｐ１〜Ｐ４が生じる。光量過多領域Ｐ１〜Ｐ４は、人間の眼で見たときに輝度が高いと認識できる領域である。
【００２５】
なお、発光体１１１〜１１４は、ＬＥＤに限定するものではなく、冷陰極管など各種発光体を用いてもよい。また、発光体１１１〜１１４の個数は一例であって、図示した４個に限定されず、任意に設定できる。また、光源１１０と導光板１２２との間は、図３、４に示すように空間を形成して配置する他に、両者間に透明樹脂等を充填してもよい。また、図示した構成では、導光板１２２の一側面を入射面１２２ｃとしているが、これに限定されず、導光板１２２の２以上の側面を入射面とし、各入射面に光源１１０を配置してもよい。
【００２６】
図５は、表示部１２０を説明するための説明図（筐体１０の断面図）である。電子機器１の筐体１０は、幅Ｗの額縁部１０ｂに囲まれた幅Ｌの開口部１０ａを備え、図５に示すように、内部に光源１１０と導光板１２２と液晶パネル１２４とを収納する。
【００２７】
液晶パネル１２４は、個別電極を備える表面側のガラス基板１２４ａと、共通電極を備える裏面側のガラス基板１２４ｂと、これらに挟まれた液晶層１２４ｃとで概略構成される。また、液晶パネル１２４は、その周囲が額縁部１０ｂとリブ１０ｃとで挟まれた状態で筐体１０に保持される。つまり、開口部１０ａのエリアが液晶パネル１１４の表示領域として用いられる（例えば、開口部１０ａの幅Ｌが表示領域の幅となる）。
【００２８】
導光板１２２は、液晶パネル１２４のガラス基板１２４ｂ側に出射面１２２ａを対向させて配置される。光源１１０は、額縁部１０ｂの裏側で幅Ｗの範囲に、液晶パネル１２４の第１の辺に沿った一方向に配置される。導光板１２２は、その一部が幅Ｌと幅Ｗの境界Ｙ上に位置するように、端部を額縁部１０ｂの裏側に入り込ませた状態で配置される。
【００２９】
図６は、発光体を往復運動させない場合の表示例である。図７は、本実施形態における表示制御による表示例である。図３〜図５を用いて説明したように、発光体１１１〜１１４の停止中には、導光板１２２の入射面１２２ｃ側に、発光体１１１〜１１４から出射される光によって光量過多領域Ｐ１〜Ｐ４が生じる。
【００３０】
発光体を往復運動させない場合（即ち、発光体１１１〜１１４が停止している場合）、対象画像Ｇ０（図６（ａ）参照）を液晶パネル１２４に表示した表示画像Ｅ０（図６（ｂ）参照）は、光量過多領域Ｐ１〜Ｐ４に相当する部分（Ｅ０−ｐ１〜Ｅ０−ｐ４）が、周辺の画像領域の明るさよりも明るくなる。つまり、単に、対象画像Ｇ０を表示部１２０に出力した場合、光量過多領域Ｐ１〜Ｐ４の存在によって表示画像Ｅ０に輝度むらが生じる。具体的には、図６（ｂ）に示すように、額縁部１０ｂに近いほど周辺の画像領域の明るさよりも明るく表示される輝度むらが生じる。
【００３１】
一方、電子機器１の表示制御の場合（即ち、発光体１１１〜１１４を往復運動させた場合）、制御部１０４は、対象画像Ｇ０を表示する際に、対象画像Ｇ０のフレームレートに応じた周波数で発光体１１１〜１１４を往復運動させる。発光体１１１〜１１４は、液晶パネル１２４の第１の辺に沿った範囲Ａ１〜Ａ４を、対象画像Ｇ０のフレームレートに応じた周波数で連動して往復運動する。これにより、表示画像Ｅ２（図７（ｂ）参照）は、対象画像Ｇ０（図７（ａ）参照）のように均一な明るさになる。つまり、光量過多領域Ｐ１〜Ｐ４の存在はキャンセルされ、表示画像Ｅ２に輝度むらが生じなくなる。
【００３２】
図８は、電子機器１による動作の一例を示すフローチャートである。具体的には、制御部１０４の動作（制御）の一例を示すフローチャートである。図８に示すフローチャートは、操作部１３０が表示指示を受け付けることにより開始する。
【００３３】
図８において、制御部１０４は対象画像を取得する（ステップＳ１０１）。例えば、制御部１０４は、表示指示に応じた画像を記憶部１９０から取得（読出）する。次いで、制御部１０４は、対象画像のフレームレートを取得する（ステップＳ１０２）。次いで、制御部１０４は、ステップＳ１０２において取得したフレームレートに応じた往復運動の周波数を決定する。例えば、制御部１０４は、往復運動の周波数をフレームレートと同値にする（例えば、制御部１０４は、フレームレートがＸ［ｆｐｓ］（ｆｒａｍｅ  ｐｅｒ  ｓｅｃｏｎｄ）である場合、周波数をＸ［Ｈｚ］とする。）。なお、制御部１０４は、対象画像にフレームレートがない場合（例えば、対象画像が静止画である場合）、液晶パネル１２４の垂直走査周波数を往復運動の周波数とする。そして、制御部１０４は、駆動部１６０を制御して、光源１１０の発光体１１１〜１１４を、決定した周波数により往復運動させる（ステップＳ１０３）。発光体１１１〜１１４は、決定された周波数により、液晶パネル１２４の第１の辺に沿った所定範囲（範囲Ａ１〜Ａ４）内を連動して往復運動（振動）する。次いで、制御部１０４は、対象画像を液晶パネル１２４に出力して表示させる（ステップＳ１０４）。そして、図８に示す本フローチャートは終了する。以上により、均一な明るさで画像が表示される。
【００３４】
なお、上述の制御は、記憶部１９０内の画像（静止画像、動画像）を表示させる場合に限定されない。つまり、制御部１０４は、何かしらを表示させる場合（例えば、スルー画像を表示する場合、ストリーミング画像を表示する場合、ソフトウェアプログラムの実行結果を表示する場合）には、上述の制御を行う。
【００３５】
（スルー画像を表示する場面）
制御部１０４は、画像生成部１０２からスルー画像（対象画像）を取得する（ステップＳ１０１に相当）。次いで、制御部１０４は、スルー画像（対象画像）のフレームレートを取得する（ステップＳ１０２に相当）。次いで、制御部１０４は、取得したフレームレートに応じた周波数で光源１１０の発光体１１１〜１１４を往復運動させる（ステップＳ１０３に相当）。次いで、制御部１０４は、スルー画像（対象画像）を液晶パネル１２４に出力して表示する（ステップＳ１０４に相当）。以上により、均一な明るさでスルー画像が表示される。
【００３６】
（ストリーミング画像を表示する場面）
制御部１０４は、通信部１５０からストリーミング画像（対象画像）を取得する（ステップＳ１０１に相当）。次いで、制御部１０４は、ストリーミング画像（対象画像）のフレームレートを取得する（ステップＳ１０２に相当）。次いで、制御部１０４は、取得したフレームレートに応じた周波数で光源１１０の発光体１１１〜１１４を往復運動させる（ステップＳ１０３に相当）。次いで、制御部１０４は、ストリーミング画像（対象画像）を液晶パネル１２４に出力して表示する（ステップＳ１０４に相当）。以上により、均一な明るさでストリーミング画像が表示される。
【００３７】
（ソフトウェアプログラムの実行結果を表示する場面）
制御部１０４は、例えばプログラムの実行指示に応じて、記憶部１９０に記憶されているソフトウェアプログラムを実行し、実行結果の画面（対象画像）を得る。（ステップＳ１０１に相当）。次いで、制御部１０４は、実行結果の画面（対象画像）のフレームレートを取得する（ステップＳ１０２に相当）。次いで、制御部１０４は、取得したフレームレートに応じた周波数で光源１１０の発光体１１１〜１１４を往復運動させる（ステップＳ１０３に相当）。次いで、制御部１０４は、実行結果の画面（対象画像）を液晶パネル１２４に出力して表示する（ステップＳ１０４に相当）。以上により、均一な明るさで実行結果が表示される。
【００３８】
以上、電子機器１は、対象画像を表示する際に、光源１１０の発光体１１１〜１１４を、光源１１０側にある液晶パネル１２４の第１の辺に沿って往復運動させている。
この構成により、発光体１１１〜１１４は、人が眼で認識できないくらい高速に（例えば、５０Ｈｚ〜１００Ｈｚ）、液晶パネル１２４の第１の辺に沿って往復運動する。これにより、電子機器１は、液晶パネル１２４の額縁部分が狭い場合でも、輝度むらを精度よく解消することができる。また、電子機器１は、発光体の数が増やされなくても、輝度むらを精度よく解消することができる。また、電子機器１は、減光フィルムが用いられていないため、輝度むらを精度よく解消することができる。
また、制御部１０４は、表示する対象画像のフレームレートに応じて発光体１１１〜１１４の往復運動の周波数を決定しているため、フリッカ（ちらつき）の発生を防止することができる。
【００３９】
［第２実施形態］
以下、図面を参照しながら本発明の第２実施形態について説明する。図９は、本発明の第２実施形態による電子機器２の構成例を示すブロック図である。ここで、図２に示す電子機器１と同様の構成については同じ符号を付し、その説明を省略する。なお、電子機器２の外観は、第１実施形態の電子機器１と同様である。
【００４０】
電子機器２は、図９に示すように、制御部１０４に代えて制御部１０４ａを備え、光源１１０に代えて光源１１０ａを備える点が電子機器１と異なる。制御部（第２の制御部）１０４ａは、第１実施形態における制御部１０４の機能構成に加えて、光量制御として、往復運動の折り返し位置に近いほど光量が小さくなるよう、往復運動中の光源１１０ａの光量を制御する。光量制御の詳細については後述する。
【００４１】
図１０は、光源１１０ａを説明する説明図である。（光源１１０ａ及び導光板１２２の斜視図）である。本実施形態による光源１１０ａは、１つの発光体（ＬＥＤ）１１５を備える。発光体１１５は、導光板１２２の入射面１２２ｃ側にある額縁部１０ｂに、その発光面が入射面１１２ｃと対向するよう配置される。また、発光体１１５は、駆動部１６０により、液晶パネル１２４の第１の辺に沿った範囲Ａ５を往復運動する。範囲Ａ５は、額縁部１０ｂの一端から他端までの間である。
【００４２】
次に、本実施形態における光量制御について説明する。制御部１０４ａは、第１実施形態同様、対象画像を液晶パネル１２４に表示させる際に、対象画像のフレームレートに応じた周波数で、光源１１０ａの発光体１１５を範囲Ａ５において往復運動させる。このとき、発光体１１５は範囲Ａ５の端で折り返すため、発光体１１５の速度は範囲Ａ５の端（往復運動の折り返し位置）に近いほど遅く、範囲Ａ５の端（往復運動の折り返し位置）から遠いほど速い。このため、発光体１１５の光量が一定である場合、液晶パネル１２４における第１の辺の端が、第１の辺の中程と比較して明るくなってしまう。
【００４３】
そこで、本実施形態における制御部（第２の制御部）１０４ａは、発光体１１５の位置が範囲Ａ５の端（往復運動の折り返し位置）に近いほど発光体１１５の光量を小さくし、発光体１１５の位置が範囲Ａ５の端（往復運動の折り返し位置）から遠いほど発光体１１５の光量を大きくする。例えば、制御部１０４ａは、発光体１１５の速度が遅いほど発光体１１５の光量を小さくし、発光体１１５の速度が速いほど発光体１１５の光量を大きくする。具体的には、制御部１０４ａは、一例として、次の式（１）により往復運動中の発光体１１５の光量ｌを算出する。
【００４４】
ｌ＝Ｌ・ｖ／Ｖ＋α  …（１）
【００４５】
ただし、Ｌは予め設定された基準光量であり、ｖは発光体１１５の速度であり、Ｖは予め設定された基準速度であり、αは所定の定数である。ここで、発光体１１５の速度は、駆動部１６０の駆動速度から検出してもよいし、発光体１１５に速度センサを設置して検出してもよい。このように往復運動中の発光体１１５の光量を制御することにより、制御部１０４ａは、液晶パネル１２４の明るさを一定に保つことができる。
【００４６】
なお、本実施形態では上述した式（１）により光量を決定しているが、各速度に応じた光量の値を予め記憶部１９０に記憶しておいてもよい。この場合、制御部１０４ａは、発光体１１５の速度に対応する光量を記憶部１９０から読み出し、読み出した光量で発光体１１５を発光させる。
また、発光体１１５（図１０を参照）の往復運動の折り返し位置は、導光板１１２（入射面１２２ｃ）の端部よりも外側に定められてもよい。この場合、往復運動の折り返しにより発光体１１５の光量が変化しても、その光は導光板１１２に照射されずに済む。また、導光板１１２（入射面１２２ｃ）の端部よりも内側では、発光体１１５の移動速度が一定となるので、制御部１０４ａが光量制御を行わなくても、液晶パネル１２４（図２を参照）の明るさは、むらなく均一に保たれる。
また、本実施形態では、光源１１０ａの発光体１１５の数を１個としたが、第１実施形態と同様に複数の発光体１１５を備えてもよい。この場合も同様に、制御部１０４ａは、往復運動の折り返し位置に近いほど光量が小さくなるよう、往復運動中の各発光体１１５の光量を制御する。
【００４７】
以上、電子機器２によれば、往復運動の折り返し位置に近いほど光量が小さくなるよう、往復運動中の発光体１１５の光量を制御するため、液晶パネル１２４の明るさをむらなく一定に保つことができる。
【００４８】
なお、上述した実施形態による電子機器１、２において、表示部１２０は、上述の如く、表示画面を形成する液晶パネル１２４と、光源１１０からの光を液晶パネル１２４に導く導光板１２２とを含むが、表示部の構成はこれに限定されない。つまり、本発明は、輝度むらが生じうる表示部に備える電子機器であれば、どのような電子機器であっても、適用可能である。
また、上述した実施形態による電子機器１、２は、発光体１１１〜１１５の往復運動の周波数を、対象画像のフレームレートに応じた値としているが、これに限らず、人が眼で認識できないくらい高速（例えば、５０〜１００［Ｈｚ］）であれば、予め設定された所定値（例えば、液晶パネルの垂直走査等）にしてもよい。
【００４９】
以上、この発明の実施形態について図面を参照して詳述してきたが、具体的な構成はこの実施形態に限られるものではなく、この発明の要旨を逸脱しない範囲の設計等も含まれる。
【００５０】
なお、上記に説明した電子機器１、２の各処理を実行するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００５１】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００５３】
１、２…電子機器  １００…処理部  １０２…画像生成部  １０４，１０４ａ…制御部  １１０，１１０ａ…光源  １１１〜１１５…発光体（ＬＥＤ）  １２０…表示部  １２２…導光板  １２４…液晶パネル（表示画面）  １３０…操作部  １４０…撮像部  １５０…通信部  １６０…駆動部  １９０…記憶部
【図１】
2013164897.tif 000003
【図２】
2013164897.tif 000004
【図３】
2013164897.tif 000005
【図４】
2013164897.tif 000006
【図５】
2013164897.tif 000007
【図６】
2013164897.tif 000008
【図７】
2013164897.tif 000009
【図８】
2013164897.tif 000010
【図９】
2013164897.tif 000011
【図１０】
2013164897.tif 000012